(57)【特許請求の範囲】
【請求項１】
録音機能を備えたＩＰ電話機であって、
ハンドセットに音声入力された音声データおよび前記ハンドセットから音声出力される音声データを、それぞれ送話データ、受話データとして録音する録音手段と、
録音対象の指定を受け付ける受付手段と、を有し、
前記録音手段は、前記受付手段で受け付けた指定により特定される前記音声データを録音し、
前記受付手段は、
自ＩＰ電話機を収容するＩＰ電話交換機から受信する呼制御メッセージを用いて当該ＩＰ電話交換機から前記指定を受け付け、
前記録音手段は、
通話パスがオープンした場合に、前記受付手段で受け付けた前記指定により特定される前記音声データの録音を開始し、当該通話パスがクローズした場合に、当該指定により特定される前記音声データの録音を終了する
ことを特徴とするＩＰ電話機。
【請求項２】
請求項１に記載のＩＰ電話機を複数収容するＩＰ電話交換機であって、
通話パスのオープンに先立って、当該通話パスの発信側の前記ＩＰ電話機および着信側の前記ＩＰ電話機のそれぞれに送信する呼制御メッセージに、前記録音対象の指定を含める指定手段を有する
ことを特徴とするＩＰ電話交換機。
【請求項３】
請求項２に記載のＩＰ電話交換機であって、
前記指定手段は、
前記発信側のＩＰ電話機と前記着信側のＩＰ電話機との間で録音対象が重複しないように、当該発信側のＩＰ電話機および当該着信側のＩＰ電話機のそれぞれに送信する呼制御メッセージに、前記録音対象の指定を含める
ことを特徴とするＩＰ電話交換機。
【請求項４】
ＩＰ電話の通話録音方法であって、
ＩＰ電話交換機が、
通話パスのオープンに先立って、当該通話パスの発信側のＩＰ電話機および着信側のＩＰ電話機のそれぞれに送信する呼制御メッセージに、録音対象の指定を含め、
前記ＩＰ電話機が、
前記通話パスがオープンした場合に、ハンドセットに音声入力された音声データである送話データおよび前記ハンドセットから音声出力される音声データである受話データのうち、前記ＩＰ電話交換機から受信した呼制御メッセージで前記録音対象に指定されている前記音声データの録音を開始し、
前記通話パスがクローズした場合に、当該録音対象に指定されている前記音声データの録音を終了する
ことを特徴とする通話録音方法。
【発明の詳細な説明】
【技術分野】
【０００１】
本発明は、ＩＰ電話の通話録音技術に関する。
【背景技術】
【０００２】
特許文献１には、各拠点に配置された通話録音装置に蓄積された通話データを共有化する技術が開示されている。この技術では、ＩＰ電話網上に配置された管理装置を経由して、各拠点に配置された通話録音装置間でアドレス情報を交換することにより、通話録音装置が目的の端末に通話データの取得用情報を送信できるようにしている。
【０００３】
この技術において、第一の通話録音装置は、配下の端末である第一の端末から、第二の端末の電話番号を含む通話データ配布要求を受信すると、この電話番号を含むアドレス確認要求を管理装置に送信する。管理装置は、アドレス確認要求を受信すると、このアドレス確認要求に含まれている電話番号を持つ第二の端末を配下とする第二の通話録音装置のアドレスを取得し、この第二の通話録音装置にアドレス確認要求を転送する。第二の通話録音装置は、アドレス確認要求を受信すると、このアドレス確認要求に含まれている電話番号に基づき第二の端末のアドレスを取得し、このアドレスを第一の通話録音装置に送信する。第一の通話録音装置は、このアドレスにより特定される第二の端末に対して、自通話録音装置に蓄積された通話データの取得用情報を送信する。
【０００４】
また、特許文献２には、ＩＰ電話の通話を簡単に録音できる技術が開示されている。この技術では、サウンドＤＬＬとサウンドカードのデバイスドライバとの間でやり取りされるサウンドデータをフッキングするフッキングプログラムモジュールを用いて、このサウンドデータをフッキングし蓄積する。これにより、ＩＰ電話に採用されているプロトコルを知らなくても通話データを録音できる。
【特許文献１】特開２００６−２２２８１２号公報
【特許文献２】特開２００５−５７５１１号公報
【発明の開示】
【発明が解決しようとする課題】
【０００５】
ところで、ＩＰ電話は通常の電話に比べ音声品質が悪い。このため、ＩＰ電話の録音データからでは、例えば当事者双方の発言が重なった場合に、それがどちらの発言なのかの判断が困難なことがある。
【０００６】
本発明は、上記事情に鑑みてなされたものであり、発話者を容易に特定可能なＩＰ電話の録音技術を提供することにある。
【課題を解決するための手段】
【０００７】
上記課題を解決するために、本発明では、ＩＰ電話機において、送話データおよび受話データを別々に録音できるようにした。
【０００８】
例えば、本発明は、録音機能を備えたＩＰ電話機であって、
ハンドセットに音声入力された音声データおよび前記ハンドセットから音声出力される音声データを、それぞれ送話データ、受話データとして録音する録音手段と、
録音対象の指定を受け付ける受付手段と、を有し、
前記録音手段は、
前記受付手段で受け付けた指定により特定される前記音声データを録音する。
【発明の効果】
【０００９】
本発明によれば、ＩＰ電話機において、送話データおよび受話データを別々に録音できるので、発話者を容易に特定可能なＩＰ電話の録音技術を提供することができる。
【発明を実施するための最良の形態】
【００１０】
以下、本発明の実施の形態を説明する。
【００１１】
図１は、本発明の一実施の形態が適用されたＩＰ電話システムの概略構成図である。
【００１２】
図示するように、本実施の形態のＩＰ電話システムは、複数の拠点（拠点Ａ、Ｂ）がＩＰ網８に接続されて構成されている。各拠点Ａ、Ｂには、ＬＡＮ７に接続された複数のＩＰ機器１〜６が配置される。ここで、ＩＰ機器１はＩＰ電話機であり、ＩＰ機器２はＩＰ電話交換機であり、ＩＰ機器３はパーソナルコンピュータ（ＰＣ）であり、そして、ＩＰ機器４はファイルサーバである。また、ＩＰ機器５は、ＬＡＮ７をＩＰ網８に接続するルータであり、ＩＰ機器６は、ＬＡＮ７を公衆回線網（ＰＳＴＮ）９に接続するＶｏＩＰゲートウェイである。
【００１３】
図１において、ＩＰ電話機１は、通話パスがオープンすると、ＩＰ電話交換機２の指示に従い、送話および受話の少なくとも一方の録音を開始し、通話パスがクローズすると、この録音を終了する。そして、この録音された音声データに、自ＩＰ電話機１の電話番号、通話相手の電話番号、音声データの種別（後述の送話データか受話データか）、録音日時等の属性情報を付加することによって音声ファイルデータを生成し、これを所定の宛先（ＰＣ３、ファイルサーバ４等）に送信する。
【００１４】
図２は、ＩＰ電話機１の概略構成図である。
【００１５】
図示するように、ＩＰ電話機１は、ネットワークインターフェース部１１と、マンマシン（ＭＭ）インターフェース部１２と、呼制御処理部１３と、通話処理部１４と、録音・再生部１５と、音声ファイル記憶部１６と、ファイル送信部１７と、を有する。
【００１６】
ネットワークインターフェース部１１は、自ＩＰ電話機１をＬＡＮ７に接続するためのインターフェースである。
【００１７】
ＭＭインターフェース部１２は、ＬＣＤ等の表示パネル、スピーカ、マイク等のハンドセット１２１、およびダイヤルキー、ファンクションキー等の操作パネルを備えたマンマシンインターフェースである。
【００１８】
呼制御処理部１３は、ＳＩＰ（Ｓｅｓｓｉｏｎ  Ｉｎｉｔｉａｔｉｏｎ  Ｐｒｏｔｏｃｏｌ）等のプロトコルに従い呼制御処理を行って、通話相手との間の通話パスをオープンおよびクローズする。また、呼制御処理部１３は、ＩＰ電話交換機２から受信した通話パスオープン要求の呼制御メッセージおよび通話パスクローズ要求の呼制御メッセージを録音・再生部１５に渡す。このとき、少なくとも一方の呼制御メッセージには通話相手の電話番号を付加し、それを録音・再生部１５に渡す。
【００１９】
通話処理部１４は、ＲＴＰ（Ｒｅａｌｔｉｍｅ  Ｔｒａｎｓｐｏｒｔ  Ｐｒｏｔｏｃｏｌ）等のプロトコルに従い音声通信処理を行う。図示するように、通話処理部１４は、受話処理部１４１と、ＤＡ変換部１４２と、ＡＤ変換部１４３と、送話処理部１４４と、を有する。
【００２０】
受話処理部１４１は、呼制御処理部１３により確立された通話パスを介して通話相手から通話データを受信し、これをデジタル音声データ（受話データと呼ぶ）に復調してＤＡ変換部１４２に渡す。ＤＡ変換部１４２は、受話処理部１４１から受け取った受話データをアナログ音声信号に変換して、これをハンドセット１２１のスピーカから出力する。
【００２１】
ＡＤ変換部１４３は、ハンドセット１２１のマイクで集音されたアナログ音声信号をデジタル音声データ（送話データと呼ぶ）に変換して送話処理部１４４に渡す。送話処理部１４４は、ＡＤ変換部１４３から受け取った送話データを通話データに変調し、これを、呼制御処理部１３により確立された通話パスを介して通話相手に送信する。
【００２２】
録音・再生部１５は、呼制御処理部１３より通話パスオープン要求の呼制御メッセージを受信すると、この呼制御メッセージで指定されている種別の音声データ（通話処理部１４が出力する送話データおよび／または受話データ）の録音を開始する。
【００２３】
また、録音・再生部１５は、呼制御処理部１３より通話パスクローズ要求の呼制御メッセージを受信すると、音声データの録音を終了する。そして、この録音された音声データに属性情報を付加して音声ファイルデータを作成し、これを音声ファイル記憶部１６に記憶する。また、ファイル送信部１７に対して、呼制御処理部１３より受信した通話パスクローズ要求の呼制御メッセージを転送する。
【００２４】
また、録音・再生部１５は、ＭＭインターフェース部１２を介してユーザより受け付けた指示に従い、音声ファイル記憶部１６から音声ファイルデータを読み出して再生し、その再生信号を、ＭＭインターフェース部１２に設けられたスピーカから音声出力する。
【００２５】
音声ファイル記憶部１６には、音声ファイルデータが記憶される。図３（Ａ）は、音声ファイル記憶部１６に記憶される音声ファイルデータのフォーマットを模式的に表した図である。図示するように、音声ファイルデータは、音声データ１６１に属性情報１６２が付加されて構成される。属性情報１６２は、録音日時（録音開始日時および録音終了日時）１６２１、自ＩＰ電話機１の電話番号１６２２、呼制御処理部１３より通知された通話相手の電話番号１６２３、および音声データの種別（送話データか受話データか）１６２４を含む。なお、属性情報１６２の一部（例えば自ＩＰ電話機１の電話番号１６２２と録音日時１６２１との組み合わせ）は、音声ファイルデータのファイル名として利用することができる。
【００２６】
ファイル送信部１７は、通話パスクローズ要求の呼制御メッセージを呼制御処理部１３より受信すると、この呼制御メッセージで指定されている送信プロトコルを用いて、音声ファイル記憶部１６に新たに記憶された音声ファイルデータを、この呼制御メッセージで指定されている送信先（宛先アドレス）に送信する。
【００２７】
図４は、ＩＰ電話機１の通話録音処理を説明するための図である。
【００２８】
録音・再生部１５は、通話パスオープン要求の呼制御メッセージを呼制御処理部１３から受け取ると（Ｓ１０１でＹＥＳ）、この呼制御メッセージにおいて録音対象音声データの種別として「送話」が指定されているか否かを判断する（Ｓ１０２）。「送話」が指定されているならば（Ｓ１０２でＹＥＳ）、録音・再生部１５は、ＡＤ変換部１４３から出力される送話データの録音を開始する（Ｓ１０３）。
【００２９】
また、録音・再生部１５は、この呼制御メッセージにおいて録音対象音声データの種別として「受話」が指定されているか否かを判断する（Ｓ１０４）。「受話」が指定されているならば（Ｓ１０４でＹＥＳ）、受話処理部１４１から出力される受話データの録音を開始する（Ｓ１０５）。
【００３０】
次に、録音・再生部１５は、通話パスクローズ要求の呼制御メッセージを呼制御処理部１３から受け取ると（Ｓ１０６でＹＥＳ）、録音中の音声データ（送話データおよび／または受話データ）の録音を終了する（Ｓ１０７）。そして、録音を終了した音声データの各々について、図３（Ａ）に示すように、この音声データ１６１に属性情報１６２を付加した音声ファイルデータを作成し、これを音声ファイル記憶部１６に記憶する（Ｓ１０８）。
【００３１】
それから、録音・再生部１５は、通話パスクローズ要求の呼制御メッセージをファイル送信部１７に渡す。これを受けて、ファイル送信部１７は、この呼制御メッセージにおいて音声ファイルデータの送信先（宛先アドレス）が指定されているか否かを判断する（Ｓ１０９）。宛先アドレスが指定されているならば（Ｓ１０９でＹＥＳ）、この呼制御メッセージで指定されている送信プロトコルを用いて、音声ファイル記憶部１６に新たに記憶された音声ファイルデータを、この宛先アドレスに送信する（Ｓ１１０）。例えば、指定されている送信プロトコルがＦＴＰならば、ＦＴＰを用いて、宛先アドレス（ＩＰアドレス）に音声ファイルデータを送信する。また、指定されている送信プロトコルがＳＭＴＰならば、ＳＭＴＰを用いて、宛先アドレス（メールアドレス）に音声ファイルデータを電子メールの添付ファイルとして送信する。
【００３２】
図１に戻って説明を続ける。ＩＰ電話交換機２は、各拠点Ａ、Ｂに配置されたＩＰ電話機１を収容しており、ＳＩＰ等のプロトコルに従い呼制御処理を行って、これらのＩＰ電話機１とＩＰ電話機１との間、あるいはＩＰ電話機１と公衆回線網９との間における通話パスのオープンおよびクローズを制御する。また、ＩＰ電話交換機２は、呼制御メッセージを用いて、ＩＰ電話機１に録音対象音声データの種別と、音声ファイルデータの送信先（宛先アドレス）および送信プロトコルとを通知する。
【００３３】
図５は、ＩＰ電話交換機２の概略構成図である。
【００３４】
図示するように、ＩＰ電話交換機２は、ネットワークインターフェース部２１と、局データ記憶部２２と、呼制御処理部２３と、指定挿入部２４と、を有する。
【００３５】
ネットワークインターフェース部２１は、自ＩＰ電話交換機２をＬＡＮ７に接続するためのインターフェースである。
【００３６】
局データ記憶部２２には、自ＩＰ電話交換機２の局データが記憶されている。
【００３７】
呼制御処理部２３は、局データ記憶部２２に記憶されている局データを参照して、ＳＩＰ等のプロトコルに従い呼制御処理を行って、ＩＰ電話機１とＩＰ電話機１との間、あるいはＩＰ電話機１と公衆回線網９と間の通話パスのオープンおよびクローズを制御する。
【００３８】
指定挿入部２４は、呼制御メッセージを用いて、ＩＰ電話機１に、録音対象音声データの種別と、音声ファイルデータの送信先（宛先アドレス）および送信プロトコルとを通知する。
【００３９】
具体的には、指定挿入部２４は、ＩＰ電話機１に送信する通話パスオープン要求の呼制御メッセージに、録音対象音声データの種別の指定を挿入する。通話パスオープン要求の呼制御メッセージの送信先が両方（発信側および着信側）ともＩＰ電話機１である場合、一方のＩＰ電話機１へ送信する通話パスオープン要求の呼制御メッセージに、送話データおよび受話データの何れか一方のデータの指定を挿入し、他方のＩＰ電話機１へ送信する通話パスオープン要求の呼制御メッセージにも、それと同じデータの指定を挿入する。通話パスオープン要求の呼制御メッセージの送信先の一方がＩＰ電話機１であり、他方が公衆回線網９側である場合、このＩＰ電話機１へ送信する通話パスオープン要求の呼制御メッセージに、送話データおよび受話データの両データの指定を挿入する。公衆回線網９側へ送信する通話パスオープン要求の呼制御メッセージには、録音対象音声データの種別の指定を挿入しない。
【００４０】
また、指定挿入部２４は、ＩＰ電話機１に送信する通話パスクローズ要求の呼制御メッセージに、音声ファイルデータの送信先（宛先アドレス）および送信プロトコルの指定を挿入する。
【００４１】
図６は、ＩＰ電話交換機２の指定挿入処理を説明するためのフロー図である。
【００４２】
呼制御処理部２３は、ネットワークインターフェース部２１を介してＩＰ電話機１から発信要求（オフフック信号）を受信すると（Ｓ２０１でＹＥＳ）、ＳＩＰ等のプロトコルに従い呼制御処理を開始する。また、発信要求を、この呼制御処理においてＩＰ電話機１から取得したダイヤル情報とともに指定挿入部２４に通知する。
【００４３】
これを受けて、指定挿入部２４は、局データ記憶部２２を参照し、呼制御処理部２３から受け取ったダイヤル情報により特定される着信側がＩＰ電話機１であるか否かを判断する（Ｓ２０２）。
【００４４】
着信側がＩＰ電話機１でない場合、つまり着信側が公衆回線網９側である場合は（Ｓ２０２でＮＯ）、Ｓ２０９に進む。
【００４５】
一方、着信側がＩＰ電話機１である場合（Ｓ２０２でＹＥＳ）、指定挿入部２４は、発信側および着信側のＩＰ電話機１各々に対して同じ録音対象音声データの種別を通知するものとし、この録音対象音声データの種別を「送話」および「受話」の何れか一方に決定する（Ｓ２０３）。
【００４６】
それから、指定挿入部２４は、呼制御処理部２３において、発信側および着信側のＩＰ電話機１の各々に送信する通話パスオープン要求の呼制御メッセージが生成されるのを待つ（Ｓ２０４）。これらの呼制御メッセージが生成されたならば（Ｓ２０４でＹＥＳ）、指定挿入部２４は、これらの呼制御メッセージ各々に、決定した録音対象音声データの種別の指定を挿入する（Ｓ２０５）。呼制御処理部２３は、通話パスをオープンするために、以上のようにして録音対象音声データの種別の指定が挿入された通話パスオープン要求の呼制御メッセージを、発信側および着信側のＩＰ電話機１の各々に送信する。
【００４７】
また、指定挿入部２４は、呼制御処理部２３において、発信側および着信側のＩＰ電話機１の各々に送信する通話パスクローズ要求の呼制御メッセージが生成されるのを待つ（Ｓ２０６）。これらの呼制御メッセージが生成されたならば（Ｓ２０６でＹＥＳ）、指定挿入部２４は、これらの呼制御メッセージ各々に、予め設定された音声ファイルデータの送信先（宛先アドレス）および送信プロトコルの指定を挿入する（Ｓ２０７）。呼制御処理部２３は、通話パスをクローズするために、以上のようにして音声ファイルデータの送信先（宛先アドレス）および送信プロトコルの指定が挿入された通話パスクローズ要求の呼制御メッセージを、発信側および着信側のＩＰ電話機１の各々に送信する。
【００４８】
また、呼制御処理部２３は、ネットワークインターフェース部２１を介してＶｏＩＰゲートウェイ６（公衆回線網９）から着信要求を受信すると（Ｓ２０８でＹＥＳ）、ＳＩＰ等のプロトコルに従い呼制御処理を開始する。また、着信要求を指定挿入部２４に通知して、Ｓ２０９に進む。
【００４９】
さて、Ｓ２０９において、指定挿入部２４は、録音対象音声データの種別を「送話」および「受話」の双方に決定する。
【００５０】
そして、指定挿入部２４は、呼制御処理部２３において通話パスオープン要求の呼制御メッセージが生成されるのを待つ（Ｓ２１０）。具体的には、Ｓ２０２でＮＯであったときには、呼制御処理部２３において、発信側のＩＰ電話機１に送信する通話パスオープン要求の呼制御メッセージが生成されるのを待ち、Ｓ２０８でＹＥＳであったときには、呼制御処理部２３において着信側のＩＰ電話機１に送信する通話パスオープン要求の呼制御メッセージが生成されるのを待つ。
【００５１】
そして、この呼制御メッセージが生成されたならば、この呼制御メッセージに、決定した録音対象音声データの種別（「送話」および「受話」の双方）の指定を挿入する（Ｓ２１１）。呼制御処理部２３は、通話パスをオープンするために、以上のようにして録音対象音声データの種別の指定が挿入された通話パスオープン要求の呼制御メッセージを、発信側のＩＰ電話機１（Ｓ２０２でＮＯの場合）あるいは着信側のＩＰ電話機１（Ｓ２０８でＹＥＳの場合）に送信する。ここで、ＶｏＩＰゲートウェイ６（公衆回線網９）側に対しては、通常の（指定が含まれていない）通話パスオープン要求の呼制御メッセージを送信する。
【００５２】
また、指定挿入部２４は、Ｓ２０２でＮＯであったときには、呼制御処理部２３において発信側のＩＰ電話機１に送信する通話パスクローズ要求の呼制御メッセージが生成されるのを待ち、Ｓ２０７でＹＥＳであったときには、呼制御処理部２３において着信側のＩＰ電話機１に送信する通話パスクローズ要求の呼制御メッセージが生成されるのを待つ（Ｓ２１２）。そして、この呼制御メッセージが生成されたならば（Ｓ２１２でＹＥＳ）、指定挿入部２４は、予め設定された音声ファイルデータの送信先（宛先アドレス）および送信プロトコルの指定を挿入する（Ｓ２１３）。呼制御処理部２３は、通話パスをクローズするために、以上のようにして音声ファイルデータの送信先および送信プロトコルの指定が挿入された通話パスクローズ要求の呼制御メッセージを、発信側のＩＰ電話機１（Ｓ２０２でＮＯの場合）あるいは着信側のＩＰ電話機１（Ｓ２０８でＹＥＳの場合）に送信する。ＶｏＩＰゲートウェイ６（公衆回線網９）側に対しては、通常の（指定が含まれていない）通話パスクローズ要求の呼制御メッセージを送信する。
【００５３】
次に、本実施の形態のＩＰ電話システムの動作例を説明する。
【００５４】
図７は、あるＩＰ電話機１が他のＩＰ電話機１に発信する場合の動作例を説明するためのシーケンス図である。ここで、発信側のＩＰ電話機１をＩＰ電話機Ａ１、着信側のＩＰ電話機１をＩＰ電話機Ｂ１とする。
【００５５】
ＩＰ電話機Ａ１は、ＩＰ電話機Ｂ１との通話を開始するためにオフフックされ、ダイヤル情報が入力されると、発信要求（オフフック情報）およびダイヤル情報をＩＰ電話交換機２に送信する（Ｓ３０１）。
【００５６】
ＩＰ電話交換機２は、ＩＰ電話機Ａ１から発信要求およびＩＰ電話機Ｂ１のダイヤル情報を受信すると、ＩＰ電話機Ａ１に呼出音を送信すると共に、ＩＰ電話機Ｂ１に着信要求を送信する（Ｓ３０２）。また、ＩＰ電話交換機２は、発信側および着信側の両方ともＩＰ電話機１であることを確認し、発信側のＩＰ電話機Ａ１および着信側のＩＰ電話機１Ｂ１の双方に通知する録音対象音声データの種別を「送話」および「受話」の何れか一方に決定する。ここでは「送話」に決定したものとする（Ｓ３０３）。
【００５７】
ＩＰ電話機Ｂ１は、ＩＰ電話交換機２からの着信要求を受けて、着信音を出力する。そして、オフフックされると、着信応答（オフフック情報）をＩＰ電話交換機２に送信する（Ｓ３０４）。
【００５８】
ＩＰ電話交換機２は、ＩＰ電話機Ｂ１から着信応答を受信すると、発信側のＩＰ電話機Ａ１および着信側のＩＰ電話機Ｂ１の双方に送信する通話パスオープン要求の呼制御メッセージに、録音対象音声データの種別「送話」の指定を挿入する（Ｓ３０５）。それから、発信側のＩＰ電話機Ａ１および着信側のＩＰ電話機Ｂ１のそれぞれに、録音対象音声データの種別「送話」の指定が挿入された通話パスオープン要求の呼制御メッセージを送信する（Ｓ３０６）。
【００５９】
ＩＰ電話機Ａ１は、ＩＰ電話交換機２から通話パスオープン要求の呼制御メッセージを受信すると、ＩＰ電話機Ａ１からＩＰ電話機Ｂ１への通話パスをオープンする（Ｓ３０７）。同様に、ＩＰ電話機Ｂ１は、ＩＰ電話交換機２から通話パスオープン要求の呼制御メッセージを受信すると、ＩＰ電話機Ｂ１からＩＰ電話機Ａ１への通話パスをオープンする（Ｓ３０８）。これにより、ＩＰ電話機Ａ１とＩＰ電話機Ｂ１との間に、双方向の通話パスが確立する。
【００６０】
さて、ＩＰ電話機Ａ１は、ＩＰ電話交換機２から受信した通話パスオープン要求の呼制御メッセージに含まれている指定「送話」に従い送話データを録音すると共に、ＩＰ電話機Ａ１からＩＰ電話機Ｂ１への通話パスを用いて送話データ（音声データ）をＩＰ電話機Ｂ１に送信する。また、ＩＰ電話機Ｂ１からＩＰ電話機Ａ１への通話パスを介してＩＰ電話機Ｂ１より受信した受話データ（音声データ）を再生する（Ｓ３０９）。
【００６１】
同様に、ＩＰ電話機Ｂ１は、ＩＰ電話交換機２から受信した通話パスオープン要求の呼制御メッセージに含まれている指定「送話」に従い送話データを録音すると共に、ＩＰ電話機Ｂ１からＩＰ電話機Ａ１への通話パスを用いて送話データ（音声データ）をＩＰ電話機Ａ１に送信する。また、ＩＰ電話機Ａ１からＩＰ電話機Ｂ１への通話パスを介してＩＰ電話機Ａ１より受信した受話データ（音声データ）を再生する（Ｓ３１０）。
【００６２】
その後、通話が終了し、ＩＰ電話機Ａ１およびＩＰ電話機Ｂ１の何れか一方がオンフックされると、切断要求（オンフック情報）がＩＰ電話交換機２に送信される。ここでは、ＩＰ電話機Ａ１がオンフックされ、ＩＰ電話機Ａ１からＩＰ電話交換機２に切断要求が送信されたものとする（Ｓ３１１）。
【００６３】
ＩＰ電話交換機２は、ＩＰ電話機Ａ１から切断要求を受信すると、発信側のＩＰ電話機Ａ１および着信側のＩＰ電話機Ｂ１の双方に送信する通話パスクローズ要求の呼制御メッセージに、予め設定されている音声ファイルデータの送信先（宛先アドレス）および送信プロトコルの指定を挿入する（Ｓ３１２）。ここでは、音声ファイルデータの送信先としてファイルサーバ４が指定され、音声ファイルデータの送信プロトコルとしてＦＴＰが指定されているものとする。
【００６４】
それから、ＩＰ電話交換機２は、発信側のＩＰ電話機Ａ１および着信側のＩＰ電話機Ｂ１のそれぞれに、音声ファイルデータの送信先（ファイルサーバ４）のアドレス、音声ファイルデータの送信プロトコルの指定「ＦＴＰ」が挿入された通話パスクローズ要求の呼制御メッセージを送信する（Ｓ３１３）。
【００６５】
ＩＰ電話機Ａ１は、ＩＰ電話交換機２から通話パスクローズ要求の呼制御メッセージを受信すると、ＩＰ電話機Ａ１からＩＰ電話機Ｂ１への通話パスをクローズする（Ｓ３１４）。同様に、ＩＰ電話機Ｂ１は、ＩＰ電話交換機２から通話パスクローズ要求の呼制御メッセージを受信すると、ＩＰ電話機Ｂ１からＩＰ電話機Ａ１への通話パスをクローズする（Ｓ３１５）。これにより、ＩＰ電話機Ａ１とＩＰ電話機Ｂ１との間の双方向の通話パスが切断される。
【００６６】
さて、ＩＰ電話機Ａ１は、送話データの録音を終了すると共に、この送話データに属性情報を付加して音声ファイルデータを作成する。そして、ＩＰ電話交換機２から受信した通話パスクローズ要求の呼制御メッセージに含まれている指定により特定される送信先であるファイルサーバ４へ、この呼制御メッセージに含まれている指定により特定される送信プロトコルであるＦＴＰを用いて、作成した音声ファイルデータを送信する（Ｓ３１６）。
【００６７】
同様に、ＩＰ電話機Ｂ１は、送話データの録音を終了すると共に、この送話データに属性情報を付加して音声ファイルデータを作成する。そして、ＩＰ電話交換機２から受信した通話パスクローズ要求の呼制御メッセージに含まれている指定により特定される送信先であるファイルサーバ４へ、この呼制御メッセージに含まれている指定により特定される送信プロトコルであるＦＴＰを用いて、作成した音声ファイルデータを送信する（Ｓ３１７）。
【００６８】
なお、ＩＰ網側と通話パスをオープンする際に、ＩＰ電話機Ａ１とＩＰ電話機Ｂ１の通話を暗号化して行う場合には、呼制御メッセージを送信する際に（Ｓ３０６）、ＩＰ電話機Ａ１から暗号化情報を呼制御メッセージに含めて送信し、ＩＰ電話機Ｂ１からの暗号化確認情報を受信して暗号化のプロトコルを確立し、その後の通話はＩＰパケットを暗号化して送受信するようにすればよい。
【００６９】
図８は、あるＩＰ電話機１が公衆回線網９側の電話機に発信する場合の動作例を説明するためのシーケンス図である。ここで、発信側のＩＰ電話機１をＩＰ電話機Ａ１とし、公衆回線網９（ＶｏＩＰゲートウェイ６）側の電話機を電話機Ｃとする。
【００７０】
ＩＰ電話機Ａ１は、電話機Ｃとの通話を開始するためにオフフックされ、ダイヤル情報が入力されると、発信要求（オフフック情報）およびダイヤル情報をＩＰ電話交換機２に送信する（Ｓ３２１）。
【００７１】
ＩＰ電話交換機２は、ＩＰ電話機Ａ１から発信要求および電話機Ｃのダイヤル情報を受信すると、ＩＰ電話機Ａ１に呼出音を送信すると共に、ＶｏＩＰゲートウェイ６を介して電話機Ｃに着信要求を送信する（Ｓ３２２）。また、ＩＰ電話交換機２は、発信側のみがＩＰ電話機１であることを確認し、発信側のＩＰ電話機１（ＩＰ電話機Ａ１）に通知する録音対象の音声データの種別を「送話」および「受話」の両方に決定する（Ｓ３２３）。
【００７２】
ＩＰ電話交換機２は、ＶｏＩＰゲートウェイ６を介して電話機Ｃから着信応答を受信すると（Ｓ３２４）、発信側のＩＰ電話機Ａ１に送信する通話パスオープン要求の呼制御メッセージにのみ、録音対象音声データの種別「送話」、「受話」の指定を挿入する（Ｓ３２５）。それから、発信側のＩＰ電話機Ａ１に、録音対象音声データの種別「送話」、「受話」の指定が挿入された通話パスオープン要求の呼制御メッセージを送信する。また、電話機Ｃには、通常の（指定を含まない）通話パスオープン要求の呼制御メッセージを、ＶｏＩＰゲートウェイ６を介して送信する（Ｓ３２６）。
【００７３】
ＩＰ電話機Ａ１は、ＩＰ電話交換機２から通話パスオープン要求の呼制御メッセージを受信すると、ＩＰ電話機Ａ１から電話機Ｃへの通話パスをオープンする（Ｓ３２７）。同様に、電話機Ｃも、電話機ＣからＩＰ電話機Ａ１への通話パスをオープンする。これにより、ＩＰ電話機Ａ１と電話機Ｃとの間に、双方向の通話パスが確立する。
【００７４】
さて、ＩＰ電話機Ａ１は、ＩＰ電話交換機２から受信した通話パスオープン要求の呼制御メッセージに含まれている指定「送話」「受話」に従い送話データを録音すると共に、ＩＰ電話機Ａ１から電話機Ｃへの通話パスを用いて送話データ（音声データ）を電話機Ｃに送信する。また、電話機ＣからＩＰ電話機Ａ１への通話パスを介して電話機Ｃより受信した受話データ（音声データ）を再生すると共に、この受話データを録音する（Ｓ３２８）。
【００７５】
その後、通話が終了し、ＩＰ電話機Ａ１および電話機Ｃの何れか一方がオンフックされると、切断要求（オンフック情報）がＩＰ電話交換機２に送信される。ここでは、ＩＰ電話機Ａ１がオンフックされ、ＩＰ電話機Ａ１からＩＰ電話交換機２に切断要求が送信されたものとする（Ｓ３２９）。
【００７６】
ＩＰ電話交換機２は、ＩＰ電話機Ａ１から切断要求を受信すると、発信側のＩＰ電話機Ａ１に送信する通話パスクローズ要求の呼制御メッセージに、予め設定されている音声ファイルデータの送信先（宛先アドレス）および送信プロトコルの指定を挿入する（Ｓ３３０）。ここでは、音声ファイルデータの送信先としてファイルサーバ４が指定され、音声ファイルデータの送信プロトコルとしてＦＴＰが指定されているものとする。
【００７７】
それから、ＩＰ電話交換機２は、発信側のＩＰ電話機Ａ１に、音声ファイルデータの送信先（ファイルサーバ４）のアドレス、音声ファイルデータの送信プロトコルの指定「ＦＴＰ」が挿入された通話パスクローズ要求の呼制御メッセージを送信する。また、電話機Ｃには、通常の（指定を含まない）通話パスクローズ要求の呼制御メッセージを、ＶｏＩＰゲートウェイ６を介して送信する（Ｓ３３１）。
【００７８】
ＩＰ電話機Ａ１は、ＩＰ電話交換機２から通話パスクローズ要求の呼制御メッセージを受信すると、ＩＰ電話機Ａ１から電話機Ｃへの通話パスをクローズする（Ｓ３３２）。同様に、電話機Ｃも、電話機ＣからＩＰ電話機Ａ１への通話パスをクローズする。これにより、ＩＰ電話機Ａ１と電話機Ｃとの間の双方向の通話パスが切断される。
【００７９】
さて、ＩＰ電話機Ａ１は、送話データおよび受話データ各々の録音を終了すると共に、この送話データおよび受話データ各々に属性情報を付加して、送話データおよび受話データ各々につき音声ファイルデータを作成する。そして、ＩＰ電話交換機２から受信した通話パスクローズ要求の呼制御メッセージに含まれている指定により特定される送信先であるファイルサーバ４へ、この呼制御メッセージに含まれている指定により特定される送信プロトコルであるＦＴＰを用いて、作成した各音声ファイルデータを送信する（Ｓ３３３）。
【００８０】
図９は、公衆回線網９側の電話機から、あるＩＰ電話機１に着信する場合の動作例を説明するためのシーケンス図である。ここで、着信側（宛先）のＩＰ電話機１をＩＰ電話機Ｂ１とし、公衆回線網９側の電話機を電話機Ｃとする。
【００８１】
ＩＰ電話交換機２は、ＶｏＩＰゲートウェイ６を介して公衆回線網９から着信要求を受信すると、この着信要求に含まれている宛先情報により特定されるＩＰ電話機Ｂ１に、この着信要求を転送する（Ｓ３４１）。また、ＩＰ電話交換機２は、着信側のみがＩＰ電話機１であることを確認し、着信側のＩＰ電話機Ｂ１に通知する録音対象音声データの種別を「送話」および「受話」の両方に決定する（Ｓ３４３）。
【００８２】
ＩＰ電話機Ｂ１は、ＩＰ電話交換機２からの着信要求を受けて、着信音を出力する（Ｓ３４２）。そして、オフフックされると、着信応答（オフフック情報）をＩＰ電話交換機２に送信する（Ｓ３４４）。
【００８３】
ＩＰ電話交換機２は、ＩＰ電話機Ｂ１から着信応答を受信すると、着信側のＩＰ電話機Ｂ１に送信する通話パスオープン要求の呼制御メッセージに、録音対象音声データの種別「送話」、「受話」の指定を挿入する（Ｓ３４５）。それから、着信側のＩＰ電話機Ｂ１に、録音対象音声データの種別「送話」、「受話」の指定が挿入された通話パスオープン要求の呼制御メッセージを送信する。また、電話機Ｃには、通常の（指定を含まない）通話パスオープン要求の呼制御メッセージを、ＶｏＩＰゲートウェイ６を介して送信する（Ｓ３４６）。
【００８４】
ＩＰ電話機Ｂ１は、ＩＰ電話交換機２から通話パスオープン要求の呼制御メッセージを受信すると、ＩＰ電話機Ｂ１から電話機Ｃへの通話パスをオープンする（Ｓ３４７）。同様に、電話機Ｃも、電話機ＣからＩＰ電話機Ｂ１への通話パスをオープンする。これにより、ＩＰ電話機Ｂ１と電話機Ｃとの間に、双方向の通話パスが確立する。
【００８５】
さて、ＩＰ電話機Ｂ１は、ＩＰ電話交換機２から受信した通話パスオープン要求の呼制御メッセージに含まれている指定「送話」、「受話」に従い送話データを録音すると共に、ＩＰ電話機Ｂ１から電話機Ｃへの通話パスを用いて送話データ（音声データ）を電話機Ｃに送信する。また、電話機ＣからＩＰ電話機Ｂ１への通話パスを介して電話機Ｃより受信した受話データ（音声データ）を再生すると共に、この受話データを録音する（Ｓ３４８）。
【００８６】
その後、通話が終了し、ＩＰ電話機Ｂ１および電話機Ｃの何れか一方がオンフックされると、切断要求（オンフック情報）がＩＰ電話交換機２に送信される。ここでは、ＩＰ電話機Ｂ１がオンフックされ、ＩＰ電話機Ｂ１からＩＰ電話交換機２に切断要求が送信されたものとする（Ｓ３４９）。
【００８７】
ＩＰ電話交換機２は、ＩＰ電話機Ｂ１から切断要求を受信すると、着信側のＩＰ電話機Ｂ１に送信する通話パスクローズ要求の呼制御メッセージに、予め設定されている音声ファイルデータの送信先（宛先アドレス）および送信プロトコルの指定を挿入する（Ｓ３５０）。ここでは、音声ファイルデータの送信先として任意のＰＣ３が指定され、音声ファイルデータの送信プロトコルとしてＳＭＴＰが指定されているものとする。
【００８８】
それから、ＩＰ電話交換機２は、着信側のＩＰ電話機Ｂ１に、音声ファイルデータの送信先（ＰＣ３）のアドレス、音声ファイルデータの送信プロトコルの指定「ＳＭＴＰ」が挿入された通話パスクローズ要求の呼制御メッセージを送信する。また、電話機Ｃには、通常の（指定を含まない）通話パスクローズ要求の呼制御メッセージを、ＶｏＩＰゲートウェイ６を介して送信する（Ｓ３５１）。
【００８９】
ＩＰ電話機Ｂ１は、ＩＰ電話交換機２から通話パスクローズ要求の呼制御メッセージを受信すると、ＩＰ電話機Ｂ１から電話機Ｃへの通話パスをクローズする（Ｓ３５２）。同様に、電話機Ｃも、電話機ＣからＩＰ電話機Ｂ１への通話パスをクローズする。これにより、ＩＰ電話機Ｂ１と電話機Ｃとの間の双方向の通話パスが切断される。
【００９０】
さて、ＩＰ電話機Ｂ１は、送話データおよび受話データ各々の録音を終了すると共に、この送話データおよび受話データ各々に属性情報を付加して、送話データおよび受話データ各々につき音声ファイルデータを作成する。そして、ＩＰ電話交換機２から受信した通話パスクローズ要求の呼制御メッセージに含まれている指定により特定される送信先であるＰＣ３へ、この呼制御メッセージに含まれている指定により特定される送信プロトコルであるＳＭＴＰを用いて、作成した各音声ファイルデータを電子メールに添付して送信する（Ｓ３５３）。
【００９１】
以上、本発明の一実施の形態を説明した。
【００９２】
本実施の形態によれば、ＩＰ電話機１において、送話データおよび受話データを別々（すなわち発話者別）に録音することができるので、発話者を容易に特定可能なＩＰ電話の録音技術を提供できる。
【００９３】
また、本実施の形態では、各音声ファイルのデータは、それぞれのＩＰ電話機側で作成されるので、ＩＰ網側にＩＰパケットを送信する際にＳＲＴＰ等で暗号化されたＩＰパケット情報を用いた場合であっても、送話データは暗号化される前の音声データが音声ファイルデータとして作成され、受話データは復号化された後の音声データが音声ファイルデータとして作成されるので、音声ファイルデータを管理するデータベース（例えば録音サーバなど）側で、ＳＲＴＰ等の暗号化解析を実施する必要がなく、特殊な暗号化に対応したデータベースの構築が不要であり、容易に通話録音のサービスを提供することができる。
【００９４】
また、本実施の形態では、ＩＰ電話機１において、録音された音声データに、相手装置の電話番号、音声データの種別、および録音時刻を含む属性情報を付加して、音声ファイルデータを作成している。このため、本実施の形態によれば、録音データの管理を容易に行うことができる。
【００９５】
また、本実施の形態では、ＩＰ電話機１がファイルサーバ４、ＰＣ３等の所定の宛先に音声ファイルデータを送信するので、ＩＰ電話機１に音声ファイルデータを保存しておく必要がない。このため、ＩＰ電話機１の記憶容量を小さくすることができる。
【００９６】
また、本実施の形態において、ＩＰ電話機１は、ＩＰ電話交換機２から受信する通話パスオープン要求の呼制御メッセージを用いて録音対象音声データの指定を受け付ける。そして、通話パスがオープンした場合に、この指定により特定される音声データの録音を開始し、この通話パスがクローズした場合に、この指定により特定される音声データの録音を終了する。したがって、本実施の形態によれば、発話者が録音開始および録音終了の各タイミングをいちいち指示しなくても、通話データを自動で録音することができる。
【００９７】
また、本実施の形態において、ＩＰ電話機１は、ＩＰ電話交換機２から受信する通話パスクローズ要求の呼制御メッセージを用いて音声ファイルデータの送信先および送信プロトコルの指定を受け付け、指定された送信プロトコルを用いて、指定された送信先に音声ファイルデータを送信する。したがって、本実施の形態によれば、通話毎に、音声ファイルデータの送信先および送信プロトコルを変更することができ、これにより、例えば音声ファイルデータの保存先を分散させるなどの柔軟な運用が可能になる。
【００９８】
また、本実施の形態において、ＩＰ電話交換機２は、発信側および着信側の双方ともＩＰ電話機１である場合に、発信側および着信側のＩＰ電話機１の双方ともに、「送話」および「受話」の何れか一方の同じ種別を、録音対象音声データの種別として通知する。一方、発信側および着信側の一方のみがＩＰ電話機１である場合に、「送話」および「受話」の両種別を、録音対象音声データの種別として通知する。したがって、本実施の形態によれば、同じ音声データが複数のＩＰ電話機１で重複録音される事態の発生を防止することができ、ＩＰ電話機１の記憶領域の使用量を低減することができる。また、音声ファイルデータ送信により発生するトラヒックを低減することができる。
【００９９】
なお、本発明は上記の実施の形態に限定されるものではなく、その要旨の範囲内で数々の変形が可能である。
【０１００】
例えば、上記の実施の形態では、通話パスオープン要求の呼制御メッセージを用いてＩＰ電話交換機２からＩＰ電話機１に録音対象の指定を通知している。また、通話パスクローズ要求の呼制御メッセージを用いてＩＰ電話交換機２からＩＰ電話機１に音声ファイルデータの送信先および送信プロトコルの指定を通知している。しかし、本発明はこれに限定されない。通話パスオープン要求および通話パスクローズ要求の呼制御メッセージ以外の呼制御メッセージを用いて、録音対象の指定と、音声ファイルデータの送信先および送信プロトコルの指定とを、ＩＰ電話交換機２からＩＰ電話機１に通知してもよい。あるいは、独自プロトコルを用いて、録音対象の指定と、音声ファイルデータの送信先および送信プロトコルの指定とを、ＩＰ電話交換機２からＩＰ電話機１に通知してもよい。
【０１０１】
また、上記の実施の形態では、通話毎に、録音対象の指定と、音声ファイルデータの送信先および送信プロトコルの指定とを、ＩＰ電話交換機２からＩＰ電話機１に通知している。しかし、本発明はこれに限定されない。録音対象音声データの種別と、音声ファイルデータの送信先および送信プロトコルとを予めＩＰ電話機１に設定しておくようにしてもよい。そして、ＩＰ電話機１は、通話の度に、予め設定された種別の音声データを録音して音声ファイルデータを作成し、この音声ファイルデータを予め設定された送信先に、予め設定された送信プロトコルを用いて送信するようにしてもよい。
【０１０２】
図３（Ｂ）は、録音対象音声データの種別の管理テーブルを模式的に表した図である。この管理テーブルは、例えばＩＰ電話機１の録音・再生部１５に保持される。図示するように、この管理テーブルは、種別「送話」の音声データを録音対象に設定するか否かを示すフラグを格納するエントリ１５１と、種別「受話」の音声データを録音対象に設定するか否かを示すフラグを格納するエントリ１５２と、を有する。なお、エントリ１５１、１５２に格納するフラグは、ＭＭインターフェース部１２の操作パネルを介してユーザが設定できるようにしてもよい。
【０１０３】
この場合、録音・再生部１５は、通話パスオープン要求の呼制御メッセージを契機として、録音対象に設定する旨を示すフラグが格納されているエントリ１５１、１５２に対応する種別の音声データの録音を開始し、通話パスクローズ要求の呼制御メッセージを契機としてこの音声データを録音を終了する。
【０１０４】
図３（Ｃ）は、音声ファイルデータの送信先および送信プロトコルの管理テーブルを模式的に表した図である。この管理テーブルは、例えばＩＰ電話機１のファイル送信部１７に保持される。図示するように、音声ファイルデータの送信先および送信プロトコルの管理テーブルには、音声ファイルデータの送信先候補毎にレコード１７０が登録されている。レコード１７０は、送信先のアドレス（宛先アドレス）を登録するフィールド１７１と、送信プロトコルを登録するフィールド１７２と、自動送信を実施するか否かを示すフラグを登録するフィールド１７３と、を有する。なお、各レコード１７０の各フィールド１７１〜１７３に登録する情報は、ＭＭインターフェース部１２の操作パネルを介してユーザが設定できるようにしてもよい。
【０１０５】
この場合、ファイル送信部１７は、録音・再生部１５から通話パスクローズ要求の呼制御メッセージを受け取ると、自動送信を実施する旨を示すフラグがフィールド１７３に登録されているレコード１７０を全て検索する。そして、検索したレコード１７０各々について、フィールド１７１に登録されている宛先アドレスに対して、音声ファイル記憶部１６に追加された音声ファイルデータを、フィールド１７２に登録されている送信プロトコルを用いて送信する。
【０１０６】
また、上記の実施の形態において、ＩＰ電話機１は、通話パスオープン要求の呼制御メッセージを契機として音声データの録音を開始し、通話パスクローズ要求の呼制御メッセージを契機としてこの音声データの録音を終了している。しかし、本発明はこれに限定されない。例えば、ＭＭインターフェース部１２の操作パネルに送話データおよび受話データのそれぞれの録音ボタンを設け、押下された録音ボタンに対応する音声データを録音・再生部１５に録音させるようにしてもよい。
【０１０７】
また、上記の実施の形態において、ＩＰ電話機１は、ＰＣ３、ファイルサーバ４等の他の装置に音声ファイルデータを送信している。例えば、ＩＰ電話機１に、メモリカード等の外部記憶媒体のリーダ・ライタを設け、このリーダ・ライタを介して、ＩＰ電話機１に装着された外部記憶媒体に音声ファイルデータを記憶するようにしてもよい。この場合、ＭＭインターフェース部１２の操作パネルに外部記憶媒体への書き込みボタンを設け、この書き込みボタンが押下された場合に、このリーダ・ライタを介して、ＩＰ電話機１に装着された外部記憶媒体に、音声ファイル記憶部１６に記憶されている全音声ファイルデータを記憶するようにしてもよい。
【０１０８】
また、上記の実施の形態では二者通話の場合を例にとり説明したが、本発明はこれに限定されない。本発明は多者通話のＩＰ電話システムにも同様に適用できる。多者通話に本発明を適用した場合、通話者毎に発話を録音することができるので、例えば録音データから議事録等を作成するのに好適である。
【０１０９】
また、上記の実施の形態において、ＩＰ電話機１およびＩＰ電話交換機２の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）を備えたコンピュータにおいて、ＣＰＵが所定のプログラムを補助記憶装置からメモリ上にロードして実行することにより実現されるものでもよい。
【図面の簡単な説明】
【０１１０】
【図１】図１は、本発明の一実施の形態が適用されたＩＰ電話システムの概略構成図である。
【図２】図２は、ＩＰ電話機１の概略構成図である。
【図３】図３（Ａ）は、音声ファイル記憶部１６に記憶される音声ファイルデータのフォーマットを模式的に表した図、図３（Ｂ）は、録音対象音声データの種別の管理テーブルを模式的に表した図、そして、図３（Ｃ）は、音声ファイルデータの送信先および送信プロトコルの管理テーブルを模式的に表した図である。
【図４】図４は、ＩＰ電話機１の通話録音処理を説明するための図である。
【図５】図５は、ＩＰ電話交換機２の概略構成図である。
【図６】図６は、ＩＰ電話交換機２の指定挿入処理を説明するためのフロー図である。
【図７】図７は、あるＩＰ電話機１が他のＩＰ電話機１に発信する場合の動作例を説明するためのシーケンス図である。
【図８】図８は、あるＩＰ電話機１が公衆回線網９側の電話機に発信する場合の動作例を説明するためのシーケンス図である。
【図９】図９は、公衆回線網９側の電話機からあるＩＰ電話機１に着信する場合の動作例を説明するためのシーケンス図である。
【符号の説明】
【０１１１】
１：ＩＰ電話機、２：ＩＰ電話交換機、３：ＰＣ、４：ファイルサーバ、５：ルータ、６：ＶｏＩＰゲートウェイ、７：ＬＡＮ、８：ＩＰ網、９：公衆回線網、１１：ネットワークインターフェース部、１２：ＭＭインターフェース部、１３：呼制御処理部、１４：通話処理部、１５：録音・再生部、１６：音声ファイル記憶部、１７：ファイル送信部、２１：ネットワークインターフェース部、２２：局データ記憶部、２３：呼制御処理部、２４：指定挿入部、１２１：ハンドセット、１４１：受話処理部、１４２：ＤＡ変換部、１４３：ＡＤ変換部、１４４：送話処理部
【図１】
0004823206.tif 000002
【図２】
0004823206.tif 000003
【図３】
0004823206.tif 000004
【図４】
0004823206.tif 000005
【図５】
0004823206.tif 000006
【図６】
0004823206.tif 000007
【図７】
0004823206.tif 000008
【図８】
0004823206.tif 000009
【図９】
0004823206.tif 000010